(57)【要約】   【課題】ダイカスト鋳造による調整ブロックにおいて水平面内で傾きを持つ凹溝レール部を容易に形成できる隠し蝶番の構造を提供することを目的とする。  【解決手段】扉枠２用の調整ブロック６ａと扉３用の調整ブロック６ｂの開口部１２ａ、１２ｂの上部と下部に調整ブロック６ａ、６ｂとは別体でスライドレール１３、１４がそれぞれ装着される。スライドレール１３、１４は直方体形状で調整ブロック６ａ、６ｂに対して垂直でＺ軸方向に取付けられる。スライドレール１３、１４には断面矩形の凹溝レール部１３ａ、１４ａが形成され、この凹溝レール部１３ａ、１４ａは直線状でスライドレール１３、１４のＺ軸に対してＸ軸方向に角度αで互いに対向するように傾斜する。スライドレール１３、１４の係止部１５が調整ブロック６ａ、６ｂの矩形状の孔部１６に固定される。  【選択図】  図３
2008025269.tif 000002
【特許請求の範囲】
【請求項１】
扉枠と扉を開閉自在に連結する二組の連結アームが垂直回転軸を中心に回転可能に連結されて一対の調整ブロックに取付けられ、前記連結アームは一端がピン支持部で他端がスライド支持部であり、前記二組の連結アームのそれぞれのピン支持部とスライド支持部を一対として取付けられた前記各調整ブロックを一対の蝶番ケーシングに組込んで扉枠と扉に設けた収容部に取付けて成る隠し蝶番であって、
前記スライド支持部は前記連結アームに備えるスライド軸とこのスライド軸の上下端部をスライド可能に支えるため前記調整ブロックに備える一対のガイドレールとから成り、このガイドレールは前記調整ブロックとは別体の直方体形状のガイド本体に凹溝レール部を抉って形成され、前記ガイド本体が前記調整ブロックの露出側表面に対して垂直に取付けられるとともに前記凹溝レール部が前記ガイド本体の長軸に対して水平面内で傾斜して形成されることを特徴とする隠し蝶番の構造。
【請求項２】
請求項１記載の隠し蝶番の構造であって、前記調整ブロックに孔部を形成するとともにこの孔部に挿入されるコ字状ブロックを前記ガイド本体に形成し、前記コ字状ブロックの両側面に前記孔部と係止する係止部を備えることを特徴とする隠し蝶番の構造。
【発明の詳細な説明】
【技術分野】
【０００１】
本発明は、扉枠と扉を連結アームで開閉自在に連結する隠し蝶番の構造に関するもので、詳しくは、連結アームがスライドするためのガイドレールを調整ブロックに容易に形成できる隠し蝶番の構造の技術に関する。
【背景技術】
【０００２】
従来、隠し蝶番として特許文献１の記載が知られている。特許文献１によれば図８に示すように、隠し蝶番４０は、扉枠４１と扉４２を開閉自在に連結する二組の連結アーム４３が一対の調整ブロック４７、４７に取付けられる。調整ブロック４７、４７は扉枠４１と扉４２にそれぞれ形成された収容部４１ａ、４２ａに一対のケーシング４４、４５を介して固定ネジ５０によって固定される。
【０００３】
前記各連結アーム４３は、左右で対をなす平面視概略「Ｃ」もしくは「く」の字状の同一構成のリンク部材で、上下方向に位置をずらして垂直回転軸４６で回転可能にヒンジ結合される。
【０００４】
前記連結アーム４３の一端は図示しないピン支持部で回転可能とするとともに、他端４８は図示しないスライド軸がその上下端部を調整ブロック４７に設けられる凹溝レール部４９内でスライド移動することにより扉４２を開閉することができる。
【０００５】
ここで、収容部４１ａ、４２ａの奥行きに制限がある場合には、凹溝レール部４９を水平面内で傾けることによって実質的に凹溝レール部４９の奥行き長さを短くする必要があった。
【特許文献１】特開平０６−２８８１３９号公報
【発明の開示】
【発明が解決しようとする課題】
【０００６】
ところが、凹溝レール部４９を水平面内で傾けると、ダイカスト鋳造によって調整ブロック４７を形成する場合に、鋳込んだ後に可動型を引抜くことができないためダイカスト鋳造ができないという問題があった。
【０００７】
そこで、本発明はかかる従来技術の問題に鑑みなされたものであって、水平面内で傾きを持つ凹溝レール部を調整ブロックに容易に形成できるダイカスト鋳造による隠し蝶番の構造を提供することを目的とする。
【課題を解決するための手段】
【０００８】
請求項１の発明は、扉枠と扉を開閉自在に連結する二組の連結アームが垂直回転軸を中心に回転可能に連結されて一対の調整ブロックに取付けられ、前記連結アームは一端がピン支持部で他端がスライド支持部であり、前記二組の連結アームのそれぞれのピン支持部とスライド支持部を一対として取付けられた前記各調整ブロックを一対の蝶番ケーシングに組込んで扉枠と扉に設けた収容部に取付けて成る隠し蝶番であって、前記スライド支持部は前記連結アームに備えるスライド軸とこのスライド軸の上下端部をスライド可能に支えるため前記調整ブロックに備える一対のガイドレールとから成り、このガイドレールは前記調整ブロックとは別体の直方体形状のガイド本体に凹溝レール部を抉って形成され、前記ガイド本体が前記調整ブロックの露出側表面に対して垂直に取付けられるとともに前記凹溝レール部が前記ガイド本体の長軸に対して水平面内で傾斜して形成されることを特徴としている。
【０００９】
請求項２の発明は、請求項１記載の隠し蝶番の構造であって、前記調整ブロックに孔部を形成するとともにこの孔部に挿入されるコ字状ブロックを前記ガイド本体に形成し、前記コ字状ブロックの両側面に前記孔部と係止する係止部を備えることを特徴としている。
【発明の効果】
【００１０】
請求項１記載の発明によれば、扉枠と扉を開閉自在に連結する二組の連結アームの他端がスライド支持部であり、前記スライド支持部は前記連結アームに備えるスライド軸とこのスライド軸の上下端部をスライド可能に支えるため前記調整ブロックに備える一対のガイドレールとから成り、このガイドレールは前記調整ブロックとは別体の直方体形状のガイド本体に凹溝レール部を抉って形成される。
【００１１】
このため、前記ガイド本体は前記調整ブロックの露出側表面に対して垂直に取付けることができるのでダイカスト鋳造が容易にできる。また、凹溝レール部自体は別体のガイド本体を抉って水平面内で傾きを持って形成できるので、前記扉枠と扉の収容部の奥行きに制限があっても凹溝レール部の必要長さを確保することができる。
【００１２】
請求項２記載の発明によれば、前記ガイド本体に形成されるコ字状ブロックを前記調整ブロックの孔部に挿入するだけで、前記コ字状ブロックの両側面に備える係止部が前記孔部の縁部に係止されるので、確実且つ容易に前記ガイド本体を前記調整ブロックに取付けることができる。
【発明を実施するための最良の形態】
【００１３】
＜本発明の実施形態＞
以下に、本発明の実施形態を図１〜図７に基づいて説明する。
【００１４】
＜隠し蝶番の構造の構成＞  
図１（ａ）、（ｂ）に示すように、本発明の実施形態における隠し蝶番１の構造は、扉枠２と扉３を開閉自在に連結する断面「Ｃ」字状の二組の連結アーム４ａ、４ｂが垂直回転軸５に連結されて一対の扉枠２用の調整ブロック６ａと扉３用の調整ブロック６ｂに収納される。連結アーム４ａ、４ｂはそれぞれ一端Ｓにピン支持部としての回転軸７を備え、他端Ｔにスライド支持部Ｑを備える。
【００１５】
いま、扉３が全開した状態で、調整ブロック６ａ、６ｂに向かって左右方向をＸ軸、上下（垂直）方向をＹ軸とし、Ｘ軸とＹ軸に垂直な軸をＺ軸（正面方向）とする。
【００１６】
スライド支持部Ｑは、連結アーム４ａ、４ｂに回転可能に取付けられるスライド軸８と、このスライド軸８の上下端部をスライド可能に支えるために調整ブロック６ａ、６ｂの上下端部に備える一対のスライドレール１３、１４とから成る
各調整ブロック６ａ、６ｂには、二組の連結アーム４ａ、４ｂのそれぞれの回転軸７とスライド軸８が一対で取付けられる。そして、一対の調整ブロック６ａ、６ｂは一対の蝶番ケーシング１ａ、１ｂにそれぞれ組込まれて、扉枠２と扉３に設ける収容部２ａ、３ａに取付けられる。
【００１７】
ここで、蝶番ケーシング１ｂの調整ブロック６ｂはその底部から部分的に突出する構造である。しかしながら、蝶番ケーシング１ａ、１ｂが共用できるように蝶番ケーシング１ａと蝶番ケーシング１ｂはその底部３１が部分的に開放されている同形状の構造体である。このため、外部から収容部２ａ、３ａの内部面が直接見えないように、隠し蝶番１の裏側に構造上発生する隙間等は樹脂等で塞ぐことが好ましい。
【００１８】
扉枠２の蝶番ケーシング１ａの垂直方向の下端部に調整ブロック６ａの脱落防止用の板バネからなる爪部９が設けられる。そして、爪部９に対応する扉枠２の調整ブロック６ａの下端部に爪部９と係止する凸状の係止部１０を備える。
【００１９】
二組の連結アーム４ａ、４ｂのそれぞれの動作は、図１（ａ）から図２（ａ）、（ｂ）に示すように、扉３が開放された状態から半開きの状態を経て閉じた状態まで動作する間に、垂直回転軸５を中心にして一端Ｓが回転軸７にピン支持されて回転するとともに他端Ｔがスライド軸８でスライドレール１３、１４にスライド支持されて移動する。
【００２０】
さらに、隠し蝶番１のより詳しい説明を組付け手順に沿って説明する。
【００２１】
図３（ａ）、（ｂ）、図４（ａ）、（ｂ）に示すように、扉枠２用の調整ブロック６ａと扉３用の調整ブロック６ｂにＹ軸方向に貫通する開口部１２ａ、１２ｂが形成され、この開口部１２ａ、１２ｂの上部と下部に調整ブロック６ａ、６ｂとは別体で形成されたスライドレール１３、１４がそれぞれ装着される。  
スライドレール１３、１４は直方体形状（幅Ｍ、高さＮ）で調整ブロック６ａ、６ｂに対して垂直でＺ軸方向に取付けられる。スライドレール１３、１４には断面矩形の凹溝レール部１３ａ、１４ａが幅Ｍ４、深さＮ１で形成され、凹溝レール部１３ａ、１４ａはスライドレール１３、１４の一端側にのみ開放されている。この凹溝レール部１３ａ、１４ａは直線状でスライドレール１３、１４のＺ軸に対してＸ軸方向に角度αで互いに対向するように傾斜する。この傾斜により前記扉枠２と扉３の収容部２ａ、３ａの奥行きに制限があっても凹溝レール部１３ａ、１４ａの必要長さを確保することができる。一般扉枠材の枠厚２４ｍｍに対しても対応することができる。
【００２２】
スライドレール１３、１４の両幅端からそれぞれ幅Ｍ１と幅Ｍ３で囲まれた位置に凹溝レール部１３ａ、１４ａが形成される。スライドレール１３、１４が角度αを持っているので、Ｍ２＞Ｍ４の関係に形成される。
【００２３】
スライドレール１３、１４における凹溝レール部１３ａ、１４ａとは反対側の面１３ｂ、１４ｂに係止部１５が形成される。係止部１５は断面コ字状で面１３ｂ、１４ｂから突出する両側面１５ａ（側面１５ａの長さＴ、高さＳ、両側面間の幅Ｋ）には係止部としての三角柱形状の突起１５ｂが長さＴ１、側面１５ａからの突出幅Ｋ１、側面１５ａにおける取付位置までの高さＳ１で備える。
【００２４】
調整ブロック６ａ、６ｂの上部と下部には矩形状の孔部１６が長さＴ２、幅Ｋ２、孔部１６の厚さＳ１である。ここで、Ｋ＝Ｋ２、Ｔ＝Ｔ２、Ｓ１＝Ｓ２の関係である。
【００２５】
このため、突起１５ｂを両側面１５ａの隙間を狭めて孔部１６に挿入したのち、両側面１５ａが弾力で元の位置にもどることにより突起１５ｂが孔部１６の縁部に係止する。これにより、スライドレール１３、１４は調整ブロック６ａ、６ｂに固定される。
【００２６】
調整ブロック６ａの上下には調整ブロック６ａを蝶番ケーシング１ａへ左右調整可能に取付けるための一対の長孔２０が、調整ブロック６ｂの上下には調整ブロック６ｂを蝶番ケーシング１ｂに対して正面方向に調整可能に取付けるためのネジ孔２１が設けられる。調整ブロック６ａの上下端部に凸状の係止部１０が形成される。
【００２７】
蝶番ケーシング１ａ、１ｂと調整ブロック６ａ、６ｂと連結アーム４ａ、４ｂはアルミダイカスト材。垂直回転軸５、スライド軸８はステンレス材、スライドレール１３、１４は樹脂成形材である。
【００２８】
図５に示すように、一組の連結アーム４ａは、一端Ｓに回転軸７を挿入するための軸孔７ａと、他端Ｔにスライド軸８（外径＝Ｍ５）を挿入するための軸孔８ａと、略中央部に垂直回転軸５を挿入するための軸孔５ａを備える。Ｍ４＝Ｍ５に形成される。
【００２９】
そして、連結アーム４ａが調整ブロック６ａに矢印で示すように収納されて、他端Ｔの軸孔８ａにスライド軸８が挿入される。このとき、連結アーム４ａの
アーム補強板１８は一対の孔１８ａを備え、連結アーム４ａの上端には一対の凸部１８ｂ備える。この孔１８ａと凸部１８ｂの係合によってアーム補強板１８は連結アーム４ａとの位置ずれを防止することができる。また、軸孔５ａに垂直回転軸５の固定用の止めネジ１９がネジ込まれる。
【００３０】
アーム補強板１８の目的は、連結アーム４ａがアルミダイカスト材のために脆く、且つ、軸孔５ａ、軸孔７ａ、軸孔８ａの縦方向の長さが長いため、扉の荷重により開閉動作中に各軸との接触による軋み音が発生するとともに、連結アーム４ａが欠けたり最悪折れたりする恐れがある。
【００３１】
このため、アーム補強板１８がステンレス材で形成され、アーム補強板１８に形成される各軸孔は軸孔５ａ、軸孔７ａ、軸孔８ａの孔径よりも若干小さくしておくことにより、扉荷重を直接的に受持つことができるので安全性を高めることができる。
【００３２】
調整ブロック６ａには調整ブロック６ａを蝶番ケーシング１ａへの取付けるための一対の長孔２０が設けられる。
【００３３】
次に、図６を用いて、他の一組の連結アーム４ｂを調整ブロック６ｂに収納する説明をするが、図５に示す構成と同構成部分については、図面に同符号を付して重複した説明を省略する。なお、連結アーム４ａと連結アーム４ｂは同形状である。
【００３４】
図６に示すように、連結アーム４ｂは連結アーム４ａとは逆に上下反転して調整ブロック６ｂに矢印で示すように収納される。また、連結アーム４ｂの下端にアーム補強板１８が添えられる。調整ブロック６ｂには調整ブロック６ｂを蝶番ケーシング１ｂへの取付けるための一対のネジ孔２１が設けられる。
【００３５】
図７に示すように。連結アーム４ａ、４ｂのそれぞれの略中央部の軸孔５ａに垂直回転軸５が挿入され止めネジ１９に固定されてそれぞれの連結アーム４ａ、４ｂが回転自在に連結される。
【００３６】
次に、調整ブロック６ｂが扉３側の蝶番ケーシング１ｂ内に固定され、蝶番ケーシング１ｂは孔２６を介してネジ等の固定具３０で扉３の収容部３ａ内に固定される。
【００３７】
調整ブロック６ｂの上下のネジ孔２１に左右調整ネジ２５が螺合され、左右調整ネジ２５の先端部は蝶番ケーシング１ｂと図示しないカシメ止めによって回転可能に固定される。このため、上下の左右調整ネジ２５のネジ込代を調整することで扉３の左右方向の位置調整ができる。
【００３８】
次に、図７の状態の隠し蝶番１を扉枠２に近接するが、このとき、図示しない扉枠２側に予め蝶番ケーシング１ａが単独に組付けられている。このため、蝶番ケーシング１ａに調整ブロック６ａが挿入されて爪部９に調整ブロック６ａの係止部１０が係止されて容易に仮固着される。仮付けしたのち、扉枠２の調整ブロック６ａを蝶番ケーシング１ａに本固定される。
【００３９】
＜隠し蝶番の構造の構成の作用＞
上記、扉枠２用の調整ブロック６ａと扉３用の調整ブロック６ｂはＹ軸方向に貫通する開口部１２ａ、１２ｂが形成され、この開口部１２ａ、１２ｂの上部と下部に調整ブロック６ａ、６ｂとは別体でスライドレール１３、１４がそれぞれ装着される。  
このため、スライドレール１３、１４は調整ブロックの露出側表面に対して垂直に取付けることができるので可動型を確実に引抜くことができるのでダイカスト鋳造が容易にできる。また、凹溝レール部１３ａ、１４ａ自体はガイド本体を抉って水平面内で傾きαを持って形成するので、凹溝レール部の必要な長さを容易に確保することができる。
【００４０】
突起１５ｂを矩形状の孔部１６に、両側面１５ａの隙間を狭めて孔部１６に挿入したのち、両側面１５ａが弾力で元の形状にもどり突起１５ｂが孔部１６の縁部に係止することで、スライドレール１３、１４は調整ブロック６ａ、６ｂに容易に且つ確実に固定することができる。
【００４１】
以上、本発明の実施形態を図面に基づいて説明したが、上記の実施例はいずれも本発明の一例を示したものであり、本発明はこれらに限定されるべきでないということは言うまでもない。
【００４２】
例えば、係止部１５を用いないで、スライドレール１３、１４を調整ブロック６ａ、６ｂに接着剤等で直接貼り付けても構わない。この場合は孔部１６は不要である。
【図面の簡単な説明】
【００４３】
【図１】本発明の実施形態における、扉枠２の２ａと扉３の収容部３ａに取付けられた隠し蝶番１の構造を示す、(ａ)は平面図、（ｂ）は正面図である。
【図２】本発明の実施形態における、隠し蝶番１の状態を示す、(ａ)は扉３が略９０度開いた状態の平面図、（ｂ）は扉３が閉じた状態の平面図である。
【図３】本発明の実施形態における、(ａ)は扉枠２用の調整ブロック６ａの状態を示す斜視図、（ｂ）は扉３用の調整ブロック６ｂの状態を示す斜視図である。
【図４】本発明の実施形態における、(ａ)はスライドレール１３の斜視図、（ｂ）はスライドレール１４の斜視図である
【図５】本発明の実施形態における、扉枠２用の連結アーム４ａが調整ブロック６ａに収納される状態を示す分解斜視図である。
【図６】本発明の実施形態における、扉３用の連結アーム４ｂが調整ブロック６ｂに収納される状態を示す分解斜視図である。
【図７】本発明の実施形態における、連結アーム４ａ、４ｂが垂直回転軸５で連結されて、調整ブロック６ｂが扉３側の蝶番ケーシング１ｂ内に固定された状態を示す斜視図である。
【図８】従来例における、隠し蝶番４０の取付状態を示す斜視図である。
【符号の説明】
【００４４】
２  扉枠
３  扉
６ａ  調整ブロック
６ｂ  調整ブロック
１２ａ  開口部
１２ｂ  開口部
１３  スライドレール  
１３ａ  凹溝レール部  
１４  スライドレール  
１４ａ  凹溝レール部
１５  係止部
１６  孔部
【図１】
2008025269.tif 000003
【図２】
2008025269.tif 000004
【図３】
2008025269.tif 000005
【図４】
2008025269.tif 000006
【図５】
2008025269.tif 000007
【図６】
2008025269.tif 000008
【図７】
2008025269.tif 000009
【図８】
2008025269.tif 000010